(57)【要約】【課題】正確な位置合わせの容易化を図る。【解決手段】裏側構造体１１８の裏側本体１１９が遊技盤１０１の裏面に対し後傾姿勢を保持したまま、裏側構造体１１８の２つの平坦部１２３；１２４が遊技盤１０１の裏面に接触されるとともに前側構造体１１２の両側の２つの周壁１１５；１１６の外周面に下側から上側に向けて押し付けられ、２つの平坦部１２３；１２４と前側構造体１１２の２つの周壁１１５；１１６の外周面との接触部および２つの平坦部１２３；１２４と遊技盤１０１の裏面との接触部を回転中心として、裏側構造体１１８の上部が遊技盤１０１の裏面の方向に徐々に移動し、複数のリブ１２５−１２７が周壁１１４の外周面に接触する。【選択図】図１
2005185734.tif 000002
【特許請求の範囲】
【請求項１】
遊技盤の前後面に貫通する逃孔を塞いで遊技盤の前面に固定される前側構造体には、遊技盤の逃孔を経由して遊技盤の裏側に突出する円形な３個の周壁が横に並べられるとともに中央の１個の周壁が両側の２個の周壁よりも上方に位置をずらして設けられ、遊技盤の裏側に配置される裏側構造体には、前記遊技盤の裏側に突出した前側構造体の周壁の周囲を囲む円形な周壁が設けられ、裏側構造体の周壁が前側構造体の周壁と嵌め合わされる遊技部品において、裏側構造体の両側の２個の周壁には内周面に周壁の円形に対して弦を構成する平坦部が下部に設けられ、これらの平坦部が裏側構造体の両側の２個の円形な周壁の中心を結ぶ直線と平行な面内に配置される一方、中央の１個の周壁には内周面に前側構造体の周壁の外周面と接触して位置合わせ嵌合する複数のリブが周方向に互いに離れて設けられたことを特徴とする遊技部品。
【請求項２】
リブの前端部が弧状または斜めに切除された嵌め合わせ案内部として形成されたことを特徴とする遊技部品。
【発明の詳細な説明】
【技術分野】
【０００１】
本発明は、位置合わせが容易かつ正確な遊技部品に関する。
【背景技術】
【０００２】
遊技盤に取り付けられる遊技部品には、次のような構造のものが知られている。それは、前側構造体が遊技盤の前後方向に貫通する逃孔を塞いで遊技盤の前面に固定され、裏側構造体が上記逃孔を塞いで遊技盤の裏面に取り付けられる場合、前側構造体と裏側構造体との位置を合わせるために前側構造体から裏側に突出した位置決め部材と裏側構造体から前側に突出した位置決め部材とを互いに嵌め合わせる構造である。しかしながら、裏側構造体が大きい場合、双方の位置決め部材を互いに前後方向に直線的に嵌め合わせる構造であると、大形な裏側構造体が嵌め合い作業者を行う斜業者の手元暗がりとなり、双方の位置決め部材の嵌め合いを作業者の勘で行わなければならず、作業性が悪いという欠点がある。そのようなことから、双方の位置決め部材の形状を円形な周壁構成として、一方の位置決め部材の外周面と他方の位置決め部材の内周面とが互いに接触するような構造も考えられるけれども、そのような位置決め部材を作るには加工精度が高くなければならず、コストダウンを図るにも限度がある。
【特許文献１】特開平８−１９１９３５号公報
【発明の開示】
【発明が解決しようとする課題】
【０００３】
発明が解決しようとする問題点は、作業性を良くしようとすると、高い加工精度を要求されるという点である。
【課題を解決するための手段】
【０００４】
本発明の遊技部品は、遊技盤の前後面に貫通する逃孔を塞いで遊技盤の前面に固定される前側構造体には、遊技盤の逃孔を経由して遊技盤の裏側に突出する円形な３個の周壁が横に並べられるとともに中央の１個の周壁が両側の２個の周壁よりも上方に位置をずらして設けられ、遊技盤の裏側に配置される裏側構造体には、前記遊技盤の裏側に突出した前側構造体の周壁の周囲を囲む円形な周壁が設けられ、裏側構造体の周壁が前側構造体の周壁と嵌め合わされる遊技部品において、裏側構造体の両側の２個の周壁には内周面に周壁の円形に対して弦を構成する平坦部が下部に設けられ、これらの平坦部が裏側構造体の両側の２個の円形な周壁の中心を結ぶ直線と平行な面内に配置される一方、中央の１個の周壁には内周面に前側構造体の周壁の外周面と接触して位置合わせ嵌合する複数のリブが周方向に互いに離れて設けられたことを最も主要な特徴とする。リブの前端部が弧状または斜めに切除された嵌め合わせ案内部として形成されたことも特徴とする。
【発明の効果】
【０００５】
本発明の遊技部品は、前側構造体の両側の２つの周壁を囲むように嵌め込まれる裏側構造体の両側の２つの周壁が内周面に平坦部を有し、前側構造体の中央の１つの周壁を囲むように裏側構造体の中央の１つの周壁が内周面に複数のリブを周方向に有するので、２つの平坦部を上下方向の移動しない回転中心として裏側構造体の上部を遊技盤の側に移動することによって、複数のリブが個別に順に前側構造体の中央の１つの周壁に接触するので、裏側構造体が大形であっても、嵌め合い位置を気にせずに位置決めをすることができるという利点がある。リブの前端部が弧状または斜めに切除された嵌め合わせ案内部として形成されれば、リブの接触が円滑に行われるという利点がある。
【発明を実施するための最良の形態】
【０００６】
図１−図６は一実施形態であって、図１は、遊技部品１１１を分解して示す。図２は、前側構造体１１２と裏側構造体１１８との内部構造を示す。図３は、位置合わせの動作を示す線図。図４は、回転表示体２５の一部を切除した回転表示機構１の側面を示す。図５は、回転表示機構１を主軸５の軸心に沿って切断した断面を示す。図６は、回転表示機構１を分解して示す。
【０００７】
図１を参照し、遊技部品１１１の構造について説明する。図１において、裏側本体１１９の向きは、遊技盤１０１や前側構造体１１２の向きの関係からすれば、逆向きに図示しなければならないが、裏側構造体１１８の内部構造が重要なことから、裏側本体１１９の遊技盤１０１の裏面と接触する面を、図１の紙面の表側に向けてある。以下の説明において、後面と裏面とは同じ面である。遊技盤１０１には逃孔１０５が遊技盤１０１の前後面に貫通する。遊技盤１０１の前面に図外の止ねじで固定される前側構造体１１２は、遊技盤１０１の前面に固定されることによって、逃孔１０５を塞ぐ大きさの前側本体１１３を備える。前側本体１１３の裏面には、円形な３個の周壁１１４；１１５；１１６が横に並べられるとともに中央の１個の周壁１１４が両側の２個の周壁１１５；１１６よりも上方に位置をずらして設けられる。３個の周壁１１４−１１６は、前側本体１１３が遊技盤１０１の前面に取り付けられる場合、遊技盤１０１の逃孔１０５に前側から挿入される。そして、前側本体１１３の裏面が遊技盤１０１の前面に接触した場合、３個の周壁１１４−１１６は逃孔１０５から遊技盤１０１の裏側に突出する。つまり、周壁１１４−１１６における前側本体１１３からの突出寸法は、遊技盤１０１の前後方向の厚さよりも大きい。
【０００８】
遊技盤１０１の裏側に配置される裏側構造体１１８は、遊技盤１０１の裏面に配置されることによって、逃孔１０５を塞ぐ大きさの裏側本体１１９を備える。裏側本体１１９の裏面には、３個の周壁１２０−１２２が、裏側本体１１９から裏側に突出する。３個の周壁１２０；１２１；１２２は、遊技盤１０１から裏側に突出した前側構造体１１２の周壁１１４；１１５；１１６の周囲を個別に囲む円形である。本実施形態は、裏側構造体１１８の３個の周壁１２０−１２２に３個の図４以降に示す回転表示機構１が個別に取り付けられることによって、３個の回転表示機構１における定形な図柄の描かれた回転表示体２５が周壁１２０−１２２で囲まれた内部空間に個別に配置され、裏側構造体１１８が遊技盤１０１の裏面に取り付けられた場合、上記３個の回転表示体２５の図柄が遊技盤１０１の前側から見えるようにすることから、前側構造体１１２における３個の周壁１１４−１１６で囲まれた前側本体１１３は、回転表示体２５を覆う構造になっている。つまり、前側構造体１１２における３個の周壁１１４−１１６で囲まれた内側は、後側に開口するものの前側が閉鎖された形態である。
【０００９】
裏側構造体１１８における３個の周壁１２０−１２２で囲まれた裏側本体１１９は切除され、裏側構造体１１８における３個の周壁１２０−１２２で囲まれた内側は前後方向に貫通する。裏側構造体１１８の両側の２個の周壁１２１；１２２には、内周面に周壁１２１；１２２の円形に対して弦を構成する平坦部１２３；１２４が下部に個別に設けられる。裏側構造体１１８の中央の１個の周壁１２０には、内周面に複数のリブ１２５；１２６；１２７が周方向に互いに離れて設けられる。裏側構造体１１８の３個の周壁１２０−１２２が前側構造体１１２の３個の周壁１１４−１１６の周囲を囲むように嵌め合わされる場合、複数のリブ１２５−１２７は、前側構造体１１２の中央の１個の周壁１１４の外周面と接触して位置合わせ嵌合する。複数のリブ１２５−１２７の先端部は、弧状または斜めに切除された嵌め合わせ案内部として形成される。
【００１０】
図２を参照し、前側構造体１１２における３個の円形な周壁１１４−１１６と裏側構造体１１８における３個の円形な周壁１２０−１２２と裏側構造体１１８における２個の平坦部１２３；１２４と裏側構造体１１８における複数のリブ１２５−１２７との位置関係について説明する。前側構造体１１２における中央の１つの周壁１１４の中心Ｐ１は、両側の２つの周壁１１５；１１６の中心Ｐ２；Ｐ３を結ぶ直線Ｌ８の２等分位置を通る垂線Ｌ９上に位置する。前側構造体１１２の３個の周壁１１４−１１６の曲率半径Ｒ１は同じである。前側構造体１１２における両側の２つの周壁１２１；１２２の平坦部１２３；１２４は、当該２つの周壁１２１；１２２の中心Ｐ２；Ｐ３を結ぶ直線Ｌ８と平行な面内に位置する。裏側構造体１１８の３個の周壁１２０−１２２の曲率半径Ｒ２は同じである。曲率半径Ｒ２は曲率半径Ｒ１よりも大きい（Ｒ１＜Ｒ２）。
【００１１】
そして、２つの平坦部１２３；１２４が前側構造体１１２における両側の２つの周壁１１５；１１６の外周面に接触すると、裏側構造体１１８の上下方向の位置が定まる。裏側構造体１１８の中央の１個の周壁１２０の内周面に設けられた複数のリブ１２５−１２７は、４個である。４個のリブ１２５−１２７は、垂線Ｌ９上と垂線Ｌ９と直交する直線Ｌ１０上とに位置する。これによって、裏側構造体１１８が遊技盤１０１から裏側に突出する前側構造体１１２の３個の周壁１１４−１１６と嵌め合わされる場合、裏側構造体１１８の中央の１個の周壁１２０に対応する上部が遊技盤１０１の裏面から遠のき、両側の２個の周壁１２１；１２２に対応する下部が遊技盤１０１の裏面に近付くというように、裏側構造体１１８の裏側本体１１９が遊技盤１０１の裏面に対し後傾姿勢を保持する。その状態のまま、裏側構造体１１８の２つの平坦部１２３；１２４が遊技盤１０１の裏面に接触されるとともに前側構造体１１２の両側の２つの周壁１１５；１１６の外周面に下側から上側に向けて押し付けられる。そして、２つの平坦部１２３；１２４と前側構造体１１２の２つの周壁１１５；１１６の外周面との接触部および２つの平坦部１２３；１２４と遊技盤１０１の裏面との接触部を回転中心として、裏側構造体１１８の上部が遊技盤１０１の裏面の方向に徐々に移動される。
【００１２】
この移動に伴う複数のリブ１２５−１２７が前側構造体１１２の中央の１つの周壁１１４に接触する過程について、図３を参照し、説明する。図３において、回転中心Ｃは、２つの平坦部１２３；１２４と前側構造体１１２の２つの周壁１５；１１６の外周面との接触部および２つの平坦部１２３；１２４と遊技盤１０１の裏面との接触部である。回転中心Ｃを中心として裏側構造体１１８が矢印Ｘ１で示すように遊技盤１０１の裏面の方向に移動すると、下部の１つのリブ１２７が仮想線Ｌ５で示す回転位置で黒丸で示すように前側構造体１１２の周壁１１４と接触する。これによって、裏側構造体１１８は、２つの平坦部１２３；１２４と１つのリブ１２７とによる３点接触となり、横移動が規制される。この場合、中間の２つのリブ１２６と上部の１つのリブ１２５とは白丸で示すように前側構造体１１２と非接触である。引き続き、裏側構造体１１８が矢印Ｘ１方向へ移動すると、中間部の２つのリブ１２６がＬ６の位置で黒丸で示すように前側構造体１１２の周壁１１４と接触する。これによって、裏側構造体１１８は、２つの平坦部１２３；１２４と３つのリブ１２６；１２７とによる４点接触となり、横移動がさらに規制される。この場合、上部の１つのリブ１２５は白丸で示すように前側構造体１１２と非接触である。さらに、裏側構造体１１８が矢印Ｘ１方向へ移動すると、上部の１つのリブ１２５がＬ７の位置で黒丸で示すように前側構造体１１２の周壁１１４と接触する。これによって、裏側構造体１１８の中央の１つの周壁１２０が前側構造体１１２の中央の１つの周壁１１４に正確に位置決めされ、裏側構造体１１８が全体的に前側構造体１１２と位置合わせされるという利点がある。このように、回転中心Ｃを中心として裏側構造体１１８が遊技盤１０１の方に移動する場合、前記Ｒ１＜Ｒ２の関係から、周壁１２０−１２２は前側構造体１１２の周壁１１４−１１６と干渉しない。
【００１３】
図６を参照し、遊技部品１１１を用いて遊技盤１０１に取り付けられる回転表示機構１の構成部材について説明する。回転表示機構１は、装置躯体２、表示灯構造体３、回転表示構造体４、主軸５、公転駆動機構６、自転駆動機構７、公転位置検出器８、公転位置検体９、自転位置検出器１０、自転位置検体１１、太陽歯車１２、遊星歯車１３を備える。
【００１４】
装置躯体２は、円板状の躯体基板１５の周縁部より上方に突出した円形な周壁１６を備える。躯体基板１５には、主軸支柱１７と表示灯構造体３とが、設けられる。主軸支柱１７は、躯体基板１５の中心部に、躯体基板１５から上方に突出する。躯体基板１５の中心および主軸支柱１７の中心には、中心孔１８が、上下方向に貫通する。表示灯構造体３は、環状の表示灯回路基板２０の上面に、複数の表示灯としてのＬＥＤ２１を実装した構造である。そして、表示灯回路基板２０が、主軸支柱１７と周壁１６との間に位置して、躯体基板１５の上面に固定される。躯体基板１５の外周縁部からは、検出器支柱２２が、下方に突出する。検出器支柱２２の下部からは、検出器取付部２３が、径方向外側に突出する。この検出器支柱２２および検出器取付部２３は、自転位置検出器１０を取り付けるものであって、公転位置検出器８を取り付ける検出器支柱および検出器取付部は図示を省略してある。
【００１５】
回転表示構造体４は、回転表示体２５を支える表示軸２６が、表示軸支柱２７の中心部に回転可能に嵌め込まれ、遊星歯車１３が表示軸２６から下方に突出した表示軸２６の下端部に固定された構造である。回転表示体２５は、合成樹脂からなる半球形である。回転表示体２５の外側面には、全面を覆う乳白色の基層の上に種類の異なる複数の図柄が白色以外の色で表示される。基層および図柄は回転表示体の外側面に印刷される。複数の図柄は、例えば、「３」、「６」、「７」、「８」である。「３」と「７」とが、黄色で縁取りされた内側が赤色である。「６」が薄い青色で縁取りされた内側が濃い青色である。「８」が黒色の中に緑の線を有する縁取りされた内側が緑色である。回転表示体２５の内部は、半球形の底面から内部に窪む半球形の空間を形成する。表示軸支柱２７は、アルミニウム、アルミニウム合金、マグネシウム合金などの軽金属から構成され、斜めな直線的な棒状の表示軸装着部２８の上下方向中間部から、垂直な短柱形の公転軸結合部２９を、下方に突出した形態である。公転軸結合部２９の上下方向中心と表示軸装着部２８の斜め方向中心とが互いに斜めに交差する。回転表示体２５と表示軸支柱２７との間には、表示受体３０を備える。
【００１６】
主軸５は、内側の公転軸３２と外側の自転軸３３とを備える。直線棒状の公転軸３２が直線筒状の自転軸３３の内部に回転可能に嵌め込まれ、公転軸３２の上下端部が自転軸３３より上下に突出する。自転軸３３の下端部には、雄ねじの形成された雄ねじ部３４を有する。自転軸３３より下方に突出した公転軸３２の下端部には、雄ねじの形成された雄ねじ部３５を有する。
【００１７】
公転駆動機構６は、公転駆動源３７、公転駆動歯車３８、公転従動歯車３９を備える。公転駆動源３７は、躯体基板１５の下部に固定されたステップモータにより形成される。公転駆動歯車３８は、公転駆動源３７の出力軸（ステップモータの出力軸）に、固定される。つまり、公転駆動源３７の出力軸が駆動すると、公転駆動歯車３８が回転する。公転従動歯車３９は、円筒状の歯車基体４０の外周面に平歯車４１を形成した形態である。歯車基体４０の下端面には、公転位置検体９が、歯車基体４０から径方向外側に突出する。歯車基体４０は、上方に開口し、下端の塞がれた筒状である。歯車基体４０の下端を塞ぐ底部の中心には、公転軸挿入孔４２が、上下に貫通する。
【００１８】
自転駆動機構７は、自転駆動源４４、自転駆動歯車４５、自転従動歯車４６を備える。自転駆動源４４は躯体基板１５の下部に固定されたステップモータにより形成される。自転駆動歯車４５は、自転駆動源４４の出力軸（ステップモータの出力軸）に、固定される。つまり、自転駆動源４４の出力軸が駆動すると、自転駆動歯車４５が回転する。自転従動歯車４６は、円筒状の歯車基体４７の外周面に平歯車４８を形成した形態である。歯車基体４７の下端面には、自転位置検体１１が、歯車基体４７から径方向外側に突出する。歯車基体４７は、上方に開口し、下端の塞がれた筒状である。歯車基体４７の下端を塞ぐ底部の中心には、自転軸挿入孔４９が、上下に貫通する。
【００１９】
公転位置検出器８は、発光素子からの検出光を受光素子で受け取る、光透過非接触形であって、躯体基板１５の下部に取り付けられる。公転位置検体９は、外周縁部に、外周面から内部に窪む上下に貫通する複数のスリット５１を、周方向に等分配置に備える。そして、公転位置検出器８の発光素子と受光素子とが公転位置検体９の外周縁部を上下から挟む格好で、公転位置検出器８が公転位置検体９に対して配置され、公転位置検出器８の検出光が公転位置検体９の回転に伴いスリット５１を通過した場合と位置検体の外周縁部で遮断された場合とで、公転位置検出器８がオンオフ動作する。つまり、公転位置検出器８の検出光がスリット５１を通過するごとに、公転位置検出器８が位置検出信号を出力する。
【００２０】
自転位置検出器１０は、発光素子からの検出光を受光素子で受け取る、光透過非接触形であって、躯体基板１５の下部に取り付けられる。具体的には、自転位置検出器１０が、検出器取付部２３に径方向外側から内側に嵌め込まれることで、自転位置検出器１０が検出器取付部２３に取り付けられる。
【００２１】
自転位置検体１１は、外周縁部に、外周面から内部に窪む上下に貫通する複数のスリット５２を、周方向に等分配置に備える。そして、自転位置検出器１０の発光素子と受光素子とが自転位置検体１１の外周縁部を上下から挟む格好で、自転位置検出器１０が自転位置検体１１に対して配置され、自転位置検出器１０の検出光が自転位置検体１１の回転に伴いスリット５２を通過した場合と位置検体の外周縁部で遮断された場合とで、自転位置検出器１０がオンオフ動作する。つまり、自転位置検出器１０の検出光がスリット５２を通過するごとに、自転位置検出器１０が位置検出信号を出力する。
【００２２】
太陽歯車１２は、上方から下方に窪む球面鏡形態の歯車基体５４の上外周縁部に傘歯車５５を形成し、歯車基体５４の中心に自転軸結合部５６を上方に突出した構造である。歯車基体５４の中心および自転軸結合部５６の中心には、自転軸取付孔５７が上下方向に貫通する。遊星歯車１３は、上方から下方に窪む球面鏡形態の歯車基体５９の上外周縁部に傘歯車６０が形成され、歯車基体５９の中心に表示軸結合部６１を上方に突出した構造である。歯車基体５９の中心および表示軸結合部６１の中心が表示軸２６を貫通させ、遊星歯車１３が表示軸２６に固定的に取り付けられる。この表示軸２６に取り付けられた遊星歯車１３が、自転軸３３に固定された太陽歯車１２に、噛み合わされる。
【００２３】
図５を参照し、回転表示機構１の組立構造について説明する。表示灯回路基板２０が躯体基板１５から上方に突出した基板支柱６５の上に接触して搭載され、タッピングスクリューのような止ねじ６６が、表示灯回路基板２０から基板支柱６５に締結されることによって、表示灯構造体３が、装置躯体２に取り付けられる。主軸５が装置躯体２の主軸支柱１７の中心孔１８に嵌め込まれる。主軸支柱１７と主軸５との間には、上軸受６７と下軸受６８とが個別に装着される。主軸支柱１７より上方に突出した自転軸３３には、太陽歯車１２が外嵌装着される。この装着形態は、太陽歯車１２と自転軸３３とが、一緒に回転する構造である。
【００２４】
自転軸３３より上方に突出した公転軸３２には、表示軸支柱２７の公転軸結合部２９が、取り付けられる。具体的には、公転軸結合部２９には、公転軸取付孔７０が、公転軸結合部２９の下面から内部に窪む形態に形成される。この公転軸取付孔７０が、公転軸３２の上端部に、装着されることによって、表示軸支柱２７が公転軸３２に装着される。この装着形態は、例えばキーとキー溝とで表示軸支柱２７と公転軸３２とが、一緒に回転する構造である。このように表示軸支柱２７が公転軸３２に固定される場合、表示軸２６に固定された遊星歯車１３が、自転軸３３に固定された太陽歯車１２に噛み合わされる。表示軸支柱２７が公転軸３２に固定された場合、表示軸２６に固定された回転表示体２５は、装置躯体２と表示灯構造体３と主軸支柱１７および太陽歯車１２と、干渉しない配置構造になっている。
【００２５】
自転従動歯車４６の自転軸挿入孔４９が、躯体基板１５より下方に突出した自転軸３３に装着される。この場合、自転従動歯車４６の平歯車４８が、自転駆動歯車４５に、噛み合わされる。そして、ロックナット７２が、自転従動歯車４６より下方に突出した自転軸３３の雄ねじ部３４に、締結されることによって、自転従動歯車４６が、下軸受６８のインナーリングとロックナット７２とで挟まれて、自転軸３３と一緒に回転するように、自転軸３３に取り付けられる。
【００２６】
公転軸挿入孔４２が、自転軸３３より下方に突出した公転軸３２に装着される。この場合、公転従動歯車３９の平歯車４１が、公転駆動歯車３８に、噛み合わされる。そして、ロックナット７３が、公転従動歯車３９より下方に突出した公転軸３２の雄ねじ部３５に、締結されることによって、公転従動歯車３９が、公転軸３２と一緒に回転するように、公転軸３２に取り付けられる。公転駆動源３７のモータケースに固定されたモータ取付体７５は、躯体基板１５から下方に突出したモータ支柱７６に図外の止ねじで取り付けられる。自転駆動源４４のモータケースに固定されたモータ取付体７８は、躯体基板１５から下方に突出したモータ支柱７９に図外の止ねじで取り付けられる。
【００２７】
回転表示構造体４において、表示軸支柱２７の表示軸装着部２８と表示軸２６との間には、上下軸受８１；８２が装着される。表示軸２６における上軸受８１より上方に突出した上端部には、表示受体３０が、外嵌装着される。表示受体３０における回転表示体２５の内面中央を受け止める上面には、位置決め突起８３が突出する。回転表示体２５の中心部に形成された表示軸挿入孔８４が、表示受体３０より上方に突出する表示軸２６の上端部に、外側から嵌め込まれる。
【００２８】
そして、回転表示体２５に形成された位置決め孔８５が、位置決め突起８３に嵌め込まれ後、ナット８６が、回転表示体２５より上方に突出した表示軸２６の雄ねじ部８７に締結される。これによって、回転表示体２５が、ナット８６と表示受体３０とで挟まれて、表示軸２６に固定される。下軸受８２より下方に突出した表示軸２６の下端部には、スペーサ８８が外嵌装着される。遊星歯車１３の表示軸挿入孔８９が、下軸受８２より下方に突出した表示軸２６の下端部に嵌め込まれた後、ナット９０が、遊星歯車１３より下方に突出した雄ねじ部９１に締結される。これによって、遊星歯車１３が、ナット９０とスペーサ８８とで挟まれて、表示軸２６に固定される。表示軸装着部２８の斜め方向中心Ｌ１と公転軸結合部２９の上下方向中心Ｌ２との交差点９２は、回転表示体２５の自転公転の回転中心を構成する。
【００２９】
回転表示機構１は、遊技盤１０１の裏面に木ねじなるタッピングスクリューのような止ねじ１０２で固定された裏側構造体１１８に、取り付けられる。遊技盤１０１の前面に取り付けられた前側構造体１１２における回転表示体２５の前側を覆う部分は裏側から前側に弧状に突出するレンズ１０７になっている。
【００３０】
そして、回転表示機構１は、次のように取り付けられる。回転表示機構１の回転表示構造体４が、裏側構造体１１８の周壁１２０−１２２のいずれか１つの裏側から内部に挿入され、装置躯体２の周壁１６が裏側構造体１１８の内部に取り込まれ、周壁１６より径方向外側に位置する躯体基板１５が、装置躯体２の裏端面に接触する。その状態において、図外のタッピングスクリューのような止ねじが、躯体基板１５から裏側構造体１１８における図外の装置取付部に締結されることによって、回転表示機構１が、遊技盤１０１に取り付けられる。このように回転表示機構１が遊技盤１０１に取り付けられた状態において、回転表示体２５が、公転駆動源３７および自転駆動源４４で、公転と自転とを行う。この場合、回転表示体２５は、裏側構造体１１８およびレンズ１０７から離れ、裏側構造体１１８およびレンズ１０７と接触しない。
【００３１】
この回転表示機構１によれば、図５において、自転駆動源４４が停止し、公転駆動源３７が駆動すると、その駆動力が、公転駆動歯車３８、公転従動歯車３９を経由して公転軸３２を回転する。この公転軸３２の回転によって、表示軸支柱２７および表示軸２６が、公転軸３２と一緒に回転し、遊星歯車１３が、公転軸３２を中心に旋回する。この場合、遊星歯車１３が太陽歯車１２と噛み合っているので、遊星歯車１３は、旋回しつつ回転する。よって、回転表示体２５は、公転しつつ自転する。その状態において、自転駆動源４４が公転駆動源３７による遊星歯車１３の回転を相殺する方向に相殺する速度で駆動すると、その自転駆動源４４の駆動力が、自転駆動歯車４５、自転従動歯車４６を経由して自転軸３３を回転する。この自転軸３３の回転によって、太陽歯車１２が遊星歯車１３の回転が相殺する方向に回転する。この太陽歯車１２の回転によって、上記遊星歯車１３の回転が相殺される。これによって、回転表示体２５は、自転しないで、公転する。また、自転駆動源４４が公転駆動源３７による遊星歯車１３の回転を増長する方向に駆動すると、その自転駆動源４４の駆動力が、自転駆動歯車４５、自転従動歯車４６を経由して自転軸３３を回転する。この自転軸３３の回転によって、遊星歯車１３の回転が増長され、回転表示体２５は、公転しつつ高速で自転する。つまり、公転駆動源３７が駆動すると、自転駆動源４４の停止、駆動、駆動方向によって、回転表示体２５が、公転と自転とを行うか、公転を行う。公転駆動源３７が停止し、自転駆動源４４が駆動すると、その駆動力が、自転駆動歯車４５、自転従動歯車４６を経由して自転軸３３を回転する。この自転軸３３の回転によって、太陽歯車１２が回転する。この太陽は歯車１２の回転によって、遊星歯車１２が、旋回せずに回転する。これによって、回転表示体２５は、公転しないで、自転する。
【産業上の利用可能性】
【００３２】
回転表示機構１は、自転するだけの構造でもよい。また、回転表示機構１は、公転するだけの構造でもよい。
【図面の簡単な説明】
【００３３】
【図１】遊技部品を示す分解斜視図（一実施形態）。
【図２】前側構造体と裏側構造体との内部構造を示す模式図（同実施形態）。
【図３】位置合わせを示す線図（同実施形態）。
【図４】回転表示体を一部切除した遊技回転表示装置を示す側面図（同実施形態）。
【図５】遊技回転表示装置を示す断面図（同実施形態）。
【図６】遊技回転表示装置を示す分解斜視図（同実施形態）。
【符号の説明】
【００３４】
１０１  遊技盤
１０５  逃孔
１１１  遊技部品
１１２  前側構造体
１１４  周壁
１１５  周壁
１１６  周壁
１１８  裏側構造体
１２０  周壁
１２１  周壁
１２２  周壁
１２３  平坦部
１２４  平坦部
１２５  リブ
１２６  リブ
１２７  リブ
Ｐ２    中心
Ｐ３    中心
Ｌ８    直線
【図１】
2005185734.tif 000003
【図２】
2005185734.tif 000004
【図３】
2005185734.tif 000005
【図４】
2005185734.tif 000006
【図５】
2005185734.tif 000007
【図６】
2005185734.tif 000008